(57)【要約】      （修正有）【課題】センサー無しに自動的に温度調整が可能で、必要に応じて、或いは気温変化などに従い、空気を注入し、或いは空気を排出して、接触する温度を直ちに調整することができる暖房装置を提供する。【解決手段】暖房ユニット１、保護隔絶部品２を備え、暖房ユニット１は使い捨てカイロ、電気毛布などの装置で、保護隔絶部品２は弾性伸縮が可能な膨張収縮袋体３、膨張収縮袋体３を暖房ユニット１の表面に結合する結合体４を備える。膨張収縮袋体３は暖房ユニット１に向う設置部３１、設置部３１と反対向きに使用者に向う密着接合部３２、設置部３１と密着接合部３２とが共に画定する気体空間３０を備える。暖房ユニット１の温度が上昇すると、気体空間３０中の気体も熱を受けて体積が増大し、膨張収縮袋体３の密着接合部３２は設置部３１から離れ、暖房ユニット１と使用者の皮膚との距離を拡大し、低温ヤケドを回避可能で、使用上の安全性を向上させることができる。【選択図】図３
0003160360.tif 000002
【実用新案登録請求の範囲】
【請求項１】
保護隔絶部品を備え、温度変化に従い自動的に保護隔絶する暖房装置は、暖房ユニット、保護隔絶部品を備え、
前記暖房ユニットは、間隔を開け、相互に反対側に位置する第一面と第二面を備え、
前記保護隔絶部品は、弾性伸縮が可能な膨張収縮袋体、前記膨張収縮袋体を、前記暖房ユニットの第一面に結合する結合体を備え、
前記膨張収縮袋体は、前記暖房ユニットの第一面に向う設置部、前記設置部に相対して前記暖房ユニットから遠い密着接合部、前記設置部と前記密着接合部とが共に画定する気体空間を備え、
前記膨張収縮袋体には、前記気体空間内に対して空気を注入し、また空気を排出して気体量を調整可能なエアバルブを設置し、
前記暖房ユニットの温度が上昇すると、前記気体空間中の気体も熱を受けて体積が増大し、前記気体空間が大きくなると、前記膨張収縮袋体の密着接合部は、前記設置部から離れることを特徴とする保護隔絶部品を備え、温度変化に従い自動的に保護隔絶する暖房装置。
【請求項２】
前記結合体と前記設置部とは共に、前記暖房ユニットを設置する設置空間を画定し、しかも前記結合体は、前記暖房ユニットの第二面を覆うカバー部分、前記各カバー部分により画定し、かつ前記設置空間に通じる設置口を備えることを特徴とする請求項１に記載の保護隔絶部品を備え、温度変化に従い自動的に保護隔絶する暖房装置。
【請求項３】
暖房ユニットと設置して結合し、弾性伸縮が可能な膨張収縮袋体、結合体を備え、
前記膨張収縮袋体は、前記暖房ユニットに向う設置部、前記設置部に相対して前記暖房ユニットから遠い密着接合部、前記設置部と前記密着接合部が共に画定する気体空間を備え、
前記膨張収縮袋体には、前記気体空間内に対して空気を注入し、また空気を排出して気体量を調整可能なエアバルブを設置し、
前記暖房ユニットの温度が上昇すると、前記気体空間中の気体も熱を受けて体積が増大し、前記気体空間が大きくなると、前記密着接合部は、前記設置部から離れ、
前記結合体は、前記膨張収縮袋体と前記暖房ユニットとを結合することを特徴とする保護隔絶部品。
【請求項４】
前記結合体と前記設置部とは共に、設置空間を画定し、しかも前記結合体は、２個のカバー部分、前記各カバー部分により画定し、かつ前記設置空間に通じる設置口を備えることを特徴とする請求項３に記載の保護隔絶部品。
【請求項５】
前記エアバルブは、前記膨張収縮袋体上に固定して設置し、前記気体空間と通じるバルブ台、前記バルブ台の出口を開放状態で塞ぐ開閉部品を備えることを特徴とする請求項１、或いは３に記載の保護隔絶部品。
【考案の詳細な説明】
【技術分野】
【０００１】
本考案は保護隔絶部品、及び保護隔絶部品を備える暖房装置に関し、特に使い捨てカイロ、電気毛布などの暖房ユニットの保護隔絶に用い、人体に直接接触する保護隔絶部品、及び保護隔絶部品を備え、しかも温度上昇に従い自動的に保護隔絶する暖房装置に関する。
【背景技術】
【０００２】
気温が低い季節は、使い捨てカイロ、電気毛布、湯たんぽなどで暖を取る必要がある人がいる。
特に、老人や幼児は、風邪を防ぐために、暖かくする必要があり、同様に一般の人にも保温のニーズがある。
使い捨てカイロは、使用時に、人体の皮膚表面に密着させ、或いは衣服を隔てて密着させる必要がある。
使い捨てカイロは、内部材料が空気と混合され酸化作用が起こり、これにより温度が上昇し、暖房効果を達成することができるものである。
使用開始時の使い捨てカイロは温度が低いが、その内部材料と空気との作用時間が長くなるに従い、また長時間衣服の内側に入れていることによって、温度は徐々に上昇する。
しかし、その上昇した温度は、ヤケドを引き起こす温度にまで上がることはないため、ゆっくりと上がって行く温度の変化を、使用者が感じることはなかなか難しい。
そのため、使い捨てカイロが長時間人体と接触した結果、「低温度ヤケド」がしばしば起きている。
低温ヤケドの例は、痴呆老人、或いはまだ幼い子供の身に起こるだけでなく、実際には、仕事に集中していて、使い捨てカイロの存在を忘れ、低温ヤケドに至ることも、青年、壮年層にしばしば発生している。
【０００３】
同様の状況は、電気毛布、湯たんぽ、或いは他の暖房ユニットの使用においても発生し、暖房ユニットと人体との接触時間が長過ぎれば、それだけで低温ヤケドを起こす恐れがあるのである。
低温ヤケドの発生例は、枚挙に暇がないため、暖房ユニットの使用における安全性の向上は、非常に重要な課題である。
本考案は、従来の暖房装置の上記した欠点に鑑みてなされたものである。
【考案の概要】
【考案が解決しようとする課題】
【０００４】
本考案が解決しようとする課題は、温度上昇に従い自動的に保護隔絶が可能な保護隔絶部品、及び保護隔絶部品を備え、温度変化に従い自動的に保護隔絶する暖房装置を提供することである。
【課題を解決するための手段】
【０００５】
上記課題を解決するため、本考案は下記の保護隔絶部品、及び保護隔絶部品を備え、温度変化に従い自動的に保護隔絶する暖房装置を提供する。
保護隔絶部品、及び保護隔絶部品を備え、温度変化に従い自動的に保護隔絶する暖房装置において、その暖房装置は、暖房ユニット、保護隔絶部品を備え、
該暖房ユニットは、間隔を開け、相互に反対側に位置する第一面と第二面を備え、
該保護隔絶部品は、弾性伸縮が可能な膨張収縮袋体、該膨張収縮袋体を、該暖房ユニットの第一面に結合する結合体を備え、
該膨張収縮袋体は、該暖房ユニットの第一面に向う設置部、該設置部に相対して該暖房ユニットから遠い密着接合部、該設置部と該密着接合部とが共に画定する気体空間を備え、該暖房ユニットの温度が上昇すると、該気体空間中の気体も熱を受けて体積が増大し、該気体空間が大きくなると、該膨張収縮袋体の密着接合部は、該設置部から離れ、
センサー無しに自動的に温度調整が可能で、使用開始時には、個人の好みに応じて厚みを決めることができ、使用の過程において、必要に応じて、或いは気温変化などの素因に従い、空気を注入し、或いは空気を排出して、接触する温度を直ちに調整することができる。
【考案の効果】
【０００６】
本考案保護隔絶部品、及び保護隔絶部品を備え、温度変化に従い自動的に保護隔絶する暖房装置は、暖房ユニットの温度が上昇すると、気体空間中の気体も熱を受けて体積が増大し、膨張収縮袋体の密着接合部は設置部から離れ、暖房ユニットと使用者の皮膚との距離を拡大し、低温ヤケドを回避可能で、使用上の安全性を向上させることができる。
【図面の簡単な説明】
【０００７】
【図１】本考案保護隔絶部品を備え、温度変化に従い自動的に保護隔絶する暖房装置の第一実施例を示す立体分解図である。
【図２】気体空間が未膨張である状態を示す第一実施例の組合せ断面図である。
【図３】気体空間膨張後の状態を示す第一実施例の断面図である。
【図４】本考案保護隔絶部品を備え、温度変化に従い自動的に保護隔絶する暖房装置の第二実施例を示す立体分解図である。
【考案を実施するための形態】
【０００８】
以下に図面を参照しながら本考案を実施するための最良の形態について詳細に説明する。
以下の説明においては、類似の部品は、相同の符号により表示する。
【０００９】
図１、２、３に示すように、本考案保護隔絶部品を備え、温度変化に従い自動的に保護隔絶する暖房装置の第一実施例は、使用者が身に着けて暖を取るものである。
本考案暖房装置は、暖房ユニット１、保護隔絶部品２、固定ユニット６を備える。
【００１０】
本実施例の暖房ユニット１は、使い捨てカイロである。
使い捨てカイロの内部材料は、空気と作用して酸化し、徐々に温度が上昇する。
使い捨てカイロの構造設計と使用原理は、公知の技術であるため、詳述しない。
但し、本考案の暖房ユニット１は、使い捨てカイロに限定するものではなく、電源接続により温度が上昇する電気毛布、或いは他の暖房機能を備えるユニットとすることができる。
暖房ユニット１は、使用者に向う第一面１１、第一面１１の反対側で間隔を開ける第二面１２を備える。
【００１１】
保護隔絶部品２は、膨張収縮袋体３、膨張収縮袋体３と暖房ユニット１とを組立てる結合体４、膨張収縮袋体３上に設置するエアバルブ５を備える。
膨張収縮袋体３は、暖房ユニット１の第一面１１に設置し、しかも伸縮性を備える材質により製造する中空の密閉袋体である。
膨張収縮袋体３は、暖房ユニット１の第一面１１に向う薄片状の設置部３１、設置部３１に相対して暖房ユニット１から遠く、かつ使用者に向う密着接合部３２、左右に間隔を開け、各密着接合部３２と設置部３１の左右両側の連結固定に用いる２個の側連接部３３、連接部３３、設置部３１、密着接合部３２、側連接部３３が共に画定する気体空間３０を備える。
側連接部３３は共に、前後に間隔を開け、かつ上下表面に貫通する２個の固定孔３３１を備える。
【００１２】
結合体４は、布、プラスチックなどの材質により製造し、設置部３１の暖房ユニット１に向う表面上に設置する。
結合体４の四周は、設置部３１と固定して連結し、しかも結合体４と設置部３１とは共に、暖房ユニット１をセットするための設置空間４０を画定する。
結合体４は、相互に前後に間隔を開け、かつ共に長方形を呈する２個のカバー部分４１、各カバー部分４１により画定し、かつ設置空間４０に通じる長方形状を呈する設置口４２を備える。
各カバー部分４１は共に、相互に間隔を開け、上下表面に貫通する数個の通気孔４１０を備える。
【００１３】
エアバルブ５は、膨張収縮袋体３の設置部３１に固定して設置し、かつ内部は気体空間３０と通じるバルブ台５１、バルブ台５１の出口を開放状態で塞ぐ開閉部品５２を備える。
開閉部品５２は、気体空間３０を密閉することができる。
【００１４】
固定ユニット６は、保護隔絶部品２を使用者の身体上に固定し、２個の固定部品６１を備える。
本実施例の固定部品６１は共に、弾性を備える紐、或いは面テープである。
しかも、各固定部品６１はそれぞれ、各側連接部３３に設置し、各固定孔３３１を通過する。  
【００１５】
本考案の設置時には、先ず、暖房ユニット１を、設置口４２から、保護隔絶部品２の設置空間４０中に入れる。
これにより、膨張収縮袋体３は、図２に示すように、暖房ユニット１の第一面１１に位置し、各カバー部分４１は、暖房ユニット１の第二面１２を覆う。
暖房ユニット１が、使い捨てカイロである場合には、先に、暖房ユニット１を揉み、空気と作用させて温度が徐々に上昇する状態にしておき、次に、暖房ユニット１を設置する。
続いて、固定ユニット６の各固定部品６１により、暖房ユニット１を設置する保護隔絶部品２を、使用者の身体上に固定する。
これにより、保護隔絶部品２の密着接合部３２は、使用者の皮膚に密着し、或いは衣服を隔てて密着し、暖房ユニット１の熱は、保護隔絶部品２を通して使用者の身体に伝わる。
【００１６】
気体は熱を受け取ると体積が増大するため、暖房ユニット１の温度が徐々に上昇すると、保護隔絶部品２の気体空間３０中の気体も熱を受けて体積が徐々に増大する。
膨張した気体は、密着接合部３２と設置部３１との距離を広げるため、暖房ユニット１の温度が上昇すると、密着接合部３２と設置部３１との距離は、図３に示すように自然に広がる。
こうして、暖房ユニット１と人体の皮膚との距離も、拡大する。
よって、暖房ユニット１の温度が高い状態にある時には、より広い間隔を開けて、高温の伝達のバランスを取ることができる。
【００１７】
反対に、暖房ユニット１の温度が低くなると、保護隔絶部品２内の気体の体積は縮小し、密着接合部３２と設置部３１との距離も近くなり、暖房ユニット１と人体の皮膚との距離も自然に近くなる。
この時、暖房ユニット１の温度は比較的低いため、より近い距離での使用に適している。
このように、保護隔絶部品２内の気体の膨張と収縮作用により、暖房ユニット１と人体の皮膚との間隔距離の自動調節メカニズムを形成し、長時間の使用による低温ヤケドの発生を回避することができる。
【００１８】
さらに、個人的なニーズに応じて、エアバルブ５の開閉部品５２をバルブ台５１上から抜き取り、空気を排出し、気体空間３０内の空気を外へと流出させ、気体空間３０を適当な大きさにまで縮小し、暖房ユニット１と人体の皮膚との距離を縮めることができる。
その後、開閉部品５２をもとに戻す。
また、エアバルブ５の設置により、気体空間３０中の気体量を調節可能であるため、気体量が過多である時には空気を排出し、反対に、気体量が過少である時には、気体を入れることができ、こうして、使用者のニーズに応えることができる。
さらに、使用を開始したばかりの時は、個人の好みに応じて気体量を決定でき、使用の過程においては、必要に応じて、或いは気温の変化などの素因により、気体を足し、或いは排出し、接触する温度を直ちに調整することができる。
【００１９】
使用後の暖房ユニット１は、保護隔絶部品２の設置口４２から取り出し、次の使用時に、再び保護隔絶部品２に暖房ユニット１を入れる。
市販されている使い捨てカイロは、通常は１２〜２４時間前後使用できるが、使い捨てカイロの暖かさが不十分となった時には、それを取り出し、保護隔絶部品２中に新たな使い捨てカイロを入れれば良い。
【００２０】
暖房ユニット１が、煮沸して用いるホットパッドである時には、使用時間が過ぎて行くと共に、ホットパッドの温度も徐々に低くなる。
すなわち、ホットパッドは、最初は熱いが徐々に冷め、気体空間３０の厚みは、最初は厚いが徐々に薄くなるため、皮膚が感じる温度変化の程度を小さくし、暖房時間を延長して、恒温に類似の効果を達成することができる。
【００２１】
この他、従来の一般の使い捨てカイロを使用する際には、使い捨てカイロと空気とは全面的に接触するため、酸素と内容物も全面的に迅速に反応し、使い捨てカイロの温度上昇速度は迅速で、到達する最高温度も比較的高くなる。
そのため、使用者は低温ヤケドを負い易い。
しかも、使い捨てカイロの温度低下も非常に速いため、使い捨てカイロの有効使用時間を短くしてしまう。
しかし、本考案の保護隔絶部品２は、使い捨てカイロを包むため、空気と使い捨てカイロとの間の接触は部分接触にとどまり、全面接触ではない。
そのため、保護隔絶部品２中に設置する使い捨てカイロの温度上昇及び温度低下速度は、より緩やかで、最高温度も高くなり過ぎない。
よって、安定した適度な温度が長続きし、すなわち本考案は、安定的で、かつより長持ちする暖房効果を提供することができる。
【００２２】
さらに、気体空間３０の膨張は、主に膨張収縮袋体３の上下の厚みを拡大させ、その幅と長さは、ほぼ維持される。
本実施例の膨張収縮袋体３は、おおよそ方形を呈する中空袋体であるが、実施時には、ドーナツ型に設計することもでき、距離の調節ができれば、形状に関する一切の制限はない。
【００２３】
上記したように、保護隔絶部品２は熱を受けて膨張し、暖房ユニット１と人体の皮膚との距離を自動的に拡大するため、低温ヤケドの発生を回避することができ、これにより安全性を向上させ、さらに安定的で長く持続する暖房効果を達成することができる。
しかも、その調整メカニズムは自動的に進行するため、本考案は痴呆老人、精神状況が不良である使用者、さらには幼い子供の使用にも適しており、本考案の目的を確実に達成することができる。
【００２４】
図４に示すように、本考案保護隔絶部品を備え、温度変化に従い自動的に保護隔絶する暖房装置の第二実施例において、上記した第一実施例との相違を以下に記載する。
本実施例の側連接部３３は、各固定孔３３１(図１参照)の設置を省略する。
しかも、本実施例の２個の固定部品６１は、弾性を備える細長いベルト状体で、それぞれ側連接部３３とミシン縫いで結合し、外側へと延伸する。
固定部品６１の末端表面には、それぞれプラス面テープ６１１とマイナス面テープ６１２を設置する。
プラス面テープ６１１とマイナス面テープ６１２により、保護隔絶部品２を使用者の身体上に固定することができる。
本実施例が達成可能な保護隔絶効果は、第一実施例と相同であるため、再度の記載は行わない。
【００２５】
上記の本考案名称と内容は、本考案技術内容の説明に用いたのみで、本考案を限定するものではない。本考案の精神に基づく等価応用或いは部品(構造)の転換、置換、数量の増減すべては、本考案の保護範囲に含むものとする。例えば、膨張収縮袋体３は本考案実施例が示す形態以外に、熱を受けて膨張し、暖房ユニット１を皮膚から離す効果を備えるすべての構造が実施可能で、それらもすべて本考案の保護範囲に含むものである。
【産業上の利用可能性】
【００２６】
本考案は特許請求の要件である新規性を備え、従来の同類製品に比べ十分な進歩を有し、実用性が高く、社会のニーズに合致しており、産業上の利用価値は非常に大きい。
【符号の説明】
【００２７】
１  暖房ユニット
１１  第一面
１２  第二面
２  保護隔絶部品
３  膨張収縮袋体
３１  設置部
３２  密着接合部
３３  側連接部
３３１  固定孔
３０  気体空間
４  結合体
４０  設置空間
４１  カバー部分
４１０  通気孔
４２  設置口
５  エアバルブ
５１  バルブ台
５２  開閉部品
６  固定ユニット
６１  固定部品
６１１  プラス面テープ
６１２  マイナス面テープ
【図１】
0003160360.tif 000003
【図２】
0003160360.tif 000004
【図３】
0003160360.tif 000005
【図４】
0003160360.tif 000006
【手続補正書】
【提出日】平成22年4月7日(2010.4.7)
【手続補正１】
【補正対象書類名】実用新案登録請求の範囲
【補正対象項目名】全文
【補正方法】変更
【補正の内容】
【実用新案登録請求の範囲】
【請求項１】
保護隔絶部品を備え、温度変化に従い自動的に保護隔絶する暖房装置は、暖房ユニット、保護隔絶部品を備え、
前記暖房ユニットは、間隔を開け、相互に反対側に位置する第一面と第二面を備え、
前記保護隔絶部品は、弾性伸縮が可能な膨張収縮袋体、前記膨張収縮袋体を、前記暖房ユニットの第一面に結合する結合体を備え、
前記膨張収縮袋体は、前記暖房ユニットの第一面に向う設置部、前記設置部に相対して前記暖房ユニットから遠い密着接合部、前記設置部と前記密着接合部とが共に画定する気体空間を備え、
前記膨張収縮袋体には、前記気体空間内に対して空気を注入し、また空気を排出して気体量を調整可能なエアバルブを設置し、
前記暖房ユニットの温度が上昇すると、前記気体空間中の気体も熱を受けて体積が増大し、前記気体空間が大きくなると、前記膨張収縮袋体の密着接合部は、前記設置部から離れることを特徴とする保護隔絶部品を備え、温度変化に従い自動的に保護隔絶する暖房装置。
【請求項２】
前記結合体と前記設置部とは共に、前記暖房ユニットを設置する設置空間を画定し、しかも前記結合体は、前記暖房ユニットの第二面を覆うカバー部分、前記各カバー部分により画定し、かつ前記設置空間に通じる設置口を備えることを特徴とする請求項１に記載の暖房装置。
【請求項３】
暖房ユニットと設置して結合し、弾性伸縮が可能な膨張収縮袋体、結合体を備え、
前記膨張収縮袋体は、前記暖房ユニットに向う設置部、前記設置部に相対して前記暖房ユニットから遠い密着接合部、前記設置部と前記密着接合部が共に画定する気体空間を備え、
前記膨張収縮袋体には、前記気体空間内に対して空気を注入し、また空気を排出して気体量を調整可能なエアバルブを設置し、
前記暖房ユニットの温度が上昇すると、前記気体空間中の気体も熱を受けて体積が増大し、前記気体空間が大きくなると、前記密着接合部は、前記設置部から離れ、
前記結合体は、前記膨張収縮袋体と前記暖房ユニットとを結合することを特徴とする保護隔絶部品。
【請求項４】
前記結合体と前記設置部とは共に、設置空間を画定し、しかも前記結合体は、２個のカバー部分、前記各カバー部分により画定し、かつ前記設置空間に通じる設置口を備えることを特徴とする請求項３に記載の保護隔絶部品。
【請求項５】
前記エアバルブは、前記膨張収縮袋体上に固定して設置し、前記気体空間と通じるバルブ台、前記バルブ台の出口を開放状態で塞ぐ開閉部品を備えることを特徴とする請求項３に記載の保護隔絶部品。